(57)【要約】【課題】複数種類のリールテープを対応する各リールに正しい組み合わせで簡単に組み付けることができる遊技機を提供する。【解決手段】パチスロ機に搭載される３個のリール３５０Ａ、３５０Ｂ、３５０Ｃでは、リール本体１２Ａ、１２Ｂ、１２Ｃの基準位置に対応したラダーフレーム２６に、異なる形状の凹溝２８Ａ、２８Ｂ、２８Ｃを形成し、リールテープ１４Ａ、１４Ｂ、１４Ｃの巻き付け開始側の基準端部１５には、凹溝２８Ａ、２８Ｂ、２８Ｃに係合可能な異なる形状の凸部３４Ａ、３４Ｂ、３４Ｃを形成する。各リールテープ１４は対応する各リール本体１２の凹溝２８だけに凸部３４が嵌合できるようになり、他のリール本体１２に誤って組み付けられることが防止される。【選択図】図５
2007267839.tif 000002
【特許請求の範囲】
【請求項１】
複数種類の図柄が印刷されたリールテープをリール本体の外周に所定の基準位置から巻き付けて形成された複数のリールを備え、遊技者の操作によって前記複数のリールのうちの少なくとも一つが回転及び停止され、それに伴い前記リールテープに印刷された複数種類の図柄が変動及び停止表示される遊技機において、
前記複数のリールはそれぞれ、
前記リール本体の外周における前記基準位置に設けられ、前記複数のリールにおける他のリールとは異なる形状とされた被係合部と、
前記リールテープの巻き付け開始側の端部に設けられ、前記複数のリールにおける他のリールテープとは異なる形状とされるとともに対応する前記リール本体の前記被係合部に係合可能とされた係合部と、
を有し、
前記リールテープが前記係合部を前記リール本体の前記被係合部に係合させて前記基準位置からリール本体の外周に順次巻き付けられて形成されていることを特徴とする遊技機。
【請求項２】
前記被係合部と前記係合部とは、互いに係合可能な凹凸形状とされていることを特徴とする請求項１記載の遊技機。
【請求項３】
前記被係合部が前記リール本体とは別体で構成されていることを特徴とする請求項１又は請求項２記載の遊技機。
【請求項４】
前記被係合部に、前記複数のリールにおける他のリールとは異なる視覚的な識別情報が設けられていることを特徴とする請求項３記載の遊技機。
【発明の詳細な説明】
【技術分野】
【０００１】
本発明は、複数種類の図柄が印刷されたリールテープをリール本体の外周に巻き付けて形成された複数のリールを備え、この複数のリールが遊技者の操作で回転／停止されることにより各図柄が変動／停止表示されるパチスロ機等の遊技機に関する。
【背景技術】
【０００２】
遊技者の操作で複数のリールが回転／停止されることにより、各リールの外周面に設けられた複数種類の図柄がそれぞれ変動／停止表示されるパチスロ機等の遊技機では、その複数種類の図柄が印刷されたリールテープをリール本体（骨組み）に巻き付けてリールを形成している。このようなリールにおいては、リール本体の周方向に沿った所定箇所に、リールテープを巻き付ける際の始点位置となる凹状溝を形成し、その凹状溝にリールテープの一端部を合せることで位置決めしつつ他端側をリール本体に巻き付ける手順で、所定の基準位置（位置出しセンサのタグ位置）に所定の基準図柄が配置されるようリールテープをリール本体に貼り付けているものがある（例えば、特許文献１参照）。
【０００３】
また、リールテープをリール本体に貼り付ける作業では、作業者がリールテープの先頭に配置された図柄の種類を見て、リールの種類（左右中／機種等）を識別することがあるが、機種によっては、同じ種類の図柄が異なるリールテープの先頭に配置され、完成したリールにおけるリールテープの貼り付け先頭位置には同一図柄が配列される。
【０００４】
そのような機種にあっては、製造過程で、リール本体とリールテープとが誤った組み合わせで貼り付けられ、その完成したリールが誤って別種類のリールに混在して仕分けられ次工程に搬送されると、種類の異なる各リールをユニット化するリールユニットの組立工程において、例えば、左に配置されるべきリールテープが貼り付けられたリールが中位置に組み付けられたり、同一種類のリールテープが貼り付けられたリールが２つ組み付けられたりするような問題を招く。
【０００５】
そこで、このような意図しない組み付け不良を未然に防ぐために、リールテープの目印となる箇所、例えば、リールテープの先端部等に、ドット、文字、符号、マーク等の小さな識別符号（識別子）を付している。
【特許文献１】特開２００２−６５９４０号公報
【発明の開示】
【発明が解決しようとする課題】
【０００６】
しかしながら、上記の識別符号は、美観等の理由から小さく形成する傾向にあり、また製造工程の途中で識別符号の印刷が汚れたり、剥がれたりすることもあるため、目視で認識し難くなり、見誤りが起こり易くなる。そのため、作業の信頼性が低下して上述したようなリール本体とリールテープの組み合わせ間違いや完成したリールの仕分け間違いを誘発するおそれがあり、リールの誤組み付けを確実に防止するには不十分といえる。
【０００７】
また、特許文献１の技術は、基準位置合わせの容易性を主眼としており、リール本体に対するリールテープの貼り付け作業や完成したリールの仕分け作業における信頼性等について考慮されていないため、例えば左右中リール及び複数機種を同一ラインで生産する際は、やはり、リールユニットに組み付ける複数種類のリールの各々に貼り付けるリールテープの貼り付け間違えを確実に防止することができない。また、リール本体に対するリールテープの貼付位置や中心（基準）位置を特定しにくい問題もある。
【０００８】
本発明は上記事実を考慮して、複数種類のリールテープを対応する各リール本体に正しい組み合わせで簡単に貼り付けることができ、完成した各リールを正しい配列でリールユニットに組み付けることができる遊技機を提供することを課題とする。
【課題を解決するための手段】
【０００９】
上記目的を達成するために請求項１に記載の発明は、複数種類の図柄が印刷されたリールテープをリール本体の外周に所定の基準位置から巻き付けて形成された複数のリールを備え、遊技者の操作によって前記複数のリールのうちの少なくとも一つが回転及び停止され、それに伴い前記リールテープに印刷された複数種類の図柄が変動及び停止表示される遊技機において、前記複数のリールはそれぞれ、前記リール本体の外周における前記基準位置に設けられ、前記複数のリールにおける他のリールとは異なる形状とされた被係合部と、前記リールテープの巻き付け開始側の端部に設けられ、前記複数のリールにおける他のリールテープとは異なる形状とされるとともに対応する前記リール本体の前記被係合部に係合可能とされた係合部と、を有し、前記リールテープが前記係合部を前記リール本体の前記被係合部に係合させて前記基準位置からリール本体の外周に順次巻き付けられて形成されていることを特徴としている。
【００１０】
請求項１に記載の発明では、複数のリールはそれぞれ、複数種類の図柄が印刷されたリールテープがリール本体の外周に所定の基準位置から巻き付けられて形成されるが、リール本体には、外周における基準位置に、複数のリールにおける他のリールのリール本体とは異なる形状の被係合部を設け、リールテープには、巻き付け開始側の端部に、複数のリールにおける他のリールテープとは異なる形状とされるとともに対応するリール本体の被係合部に係合可能な係合部を設ける。そして、リールテープの係合部をリール本体の被係合部に係合させて基準位置を合わせ、その状態でリールテープをリール本体の外周に順次巻き付けることにより、各リールを形成する。これにより、リールテープは対応するリール本体の被係合部だけに係合部を係合させられるようになり、他のリールのリール本体に設けられた被係合部には係合部を係合させられなくなるため、他のリール本体への誤った組み付けが防止される。さらに、係合部を被係合部に係合させるだけで簡単かつ確実に位置決めできるため、作業を習熟しなくとも組み付け精度のばらつきが抑えられるようになり、位置決め不良によるリールテープの巻き直しなども防止することができる。
【００１１】
したがって、初心作業者及び熟練作業者の如何に関わらず、種類の異なる複数のリールテープが対応する各リール本体に正しい組み合わせで簡単かつ確実に貼り付けられ、完成した各リールが正しい配列でリールユニットに組み付けられるようになり、リール本体とリールテープとの組み合わせ間違いに起因する作業効率の低下を抑制しつつ、作業の信頼性を向上することができる。
【００１２】
請求項２に記載の発明は、請求項１記載の遊技機において、前記被係合部と前記係合部とは、互いに係合可能な凹凸形状とされていることを特徴としている。
【００１３】
請求項２に記載の発明では、被係合部と係合部とを凹凸形状とすることにより、リールテープの係合部の形状を目視する、あるいは触感による確認で、リールテープの種類が容易に識別できるようになる。これにより、リールテープをリール本体に巻き付け始める前でも、誤って組み合わせられてしまうことを簡単かつ確実に防止できる。
【００１４】
請求項３に記載の発明は、請求項１又は請求項２記載の遊技機において、前記被係合部が前記リール本体とは別体で構成されていることを特徴としている。
【００１５】
請求項３に記載の発明では、被係合部をリール本体とは別体にし、リール本体に取り付けて固定するよう構成する。これにより、複数のリールでは、形状の異なる各被係合部を除いてリール本体の共通化が可能となり、例えば、リール本体を成形して作製する場合などに、金型を共通化することができて製造コストが抑えられる。
【００１６】
請求項４に記載の発明は、請求項３記載の遊技機において、前記被係合部に、前記複数のリールにおける他のリールとは異なる視覚的な識別情報が設けられていることを特徴としている。
【００１７】
請求項４に記載の発明では、リール本体とは別体にする被係合部を、例えば着色して種類毎に色分けする、あるいは、成形して作製する場合には文字やマーク等を刻印するなどして、複数のリールにおける他のリールとは異なる視覚的な識別情報が設ける。これにより、この視覚的な識別情報が付与された被係合部を備えるリール本体では、リール本体の種類が容易に識別できるようになり、リールテープの巻き付け前でも、誤って組み合わせられてしまうことを簡単かつ確実に防止できる。
【発明の効果】
【００１８】
本発明の遊技機によれば、複数種類のリールテープが対応する各リール本体に正しい組み合わせで簡単に貼り付けられ、完成した各リールが正しい配列でリールユニットに組み付けられるようになる。
【発明を実施するための最良の形態】
【００１９】
以下、本発明の実施形態に係るパチスロ機について図面を参照して説明する。
【００２０】
（第１の実施形態）
図１には本発明の第１の実施形態に係るパチスロ機が示され、図２及び図３には本実施形態に係るパチスロ機に搭載されるリールが示されている。
【００２１】
（パチスロ機の構成）
図１に示されるように、パチスロ機３００は、各種部品や制御基板等が内蔵された本体３０２と、本体３０２の前面に開閉可能に取り付けられた開閉カバー３０３とを備えており、開閉カバー３０３については、上部側を占める装飾部３０４と、下部側を占める操作部３０６及び払出部３１０とによって構成されている。
【００２２】
装飾部３０４の前面最上部には、照明演出用の装飾ランプ３０４Ａが左右方向に沿って立体的に設けられており、装飾ランプ３０４Ａの下面部には、効果音等をステレオ出力する音声演出用のスピーカ３０５Ｌ、３０５Ｒが配設されている。
【００２３】
装飾ランプ３０４Ａの下側には、ガラス板製で、表面に印刷された装飾画や文字等が内側からバックライト（図示省略）により透過照明される表示パネル部３１２が取り付けられている。表示パネル部３１２の上部中央には、演出用の動画像が表示される液晶表示装置（ＬＣＤ）３１３が配設され、液晶表示装置３１３の下側には、リールの図柄が表示される矩形状の透明な表示窓３１４が表示パネル部３１２に一体成形されて設けられている。
【００２４】
表示窓３１４の内側には、３個のリール（回胴）３５０Ａ、３５０Ｂ、３５０Ｃが左右方向に同軸的に配列されている。各リール３５０Ａ、３５０Ｂ、３５０Ｃの外周面には複数種類の図柄（図示省略）が周方向に沿って設けられており、これらのリール３５０Ａ、３５０Ｂ、３５０Ｃによって図柄変動部３１６が構成されている。図柄変動部３１６では、リール３５０Ａ、３５０Ｂ、３５０Ｃが回転及び回転停止することで図柄が変動及び停止し、その様子は外部から表示窓３１４を通して視認することができる。
【００２５】
表示パネル部３１２の下部には、パチスロ機３００の遊技媒体であるメダルの払出枚数を表示する７セグメント表示部３１５Ａ、ジャックゲーム残回数や遊技状態の設定（６段階）表示等を行なう表示部３１５Ｂ、クレジット枚数を表示する７セグメント表示部３１５Ｃが設けられている。
【００２６】
操作部３０６は、上部が前方へ突出しその突出部の上面がテーブルとして構成されており、テーブルの右端部近傍にメダル投入部３２０が設けられ、左端部近傍に、クレジットを払い戻す際に押下操作する精算ボタン１０３、１枚ベット（投入）ボタン３５２Ａ、マックスベット（最大投入）ボタン３５２Ｂが設けられている。さらに、突出部の前面には、左端部近傍に始動レバー３５４が設けられ、中央部に、リール３５０Ａ、３５０Ｂ、３５０Ｃに対応する停止ボタン３５６Ａ、３５６Ｂ、３５６Ｃが設けられている。
【００２７】
また、払出部３１０は、本体３０２内からメダルが排出されるメダル排出口３２６と、メダル排出口３２６から排出されたメダルを収容する受け皿３２８とを備えている。
【００２８】
上記の構成とされた本実施形態のパチスロ機３００では、遊技者がメダル投入部３２０にメダルを投入して始動レバー３５４を傾倒操作すると、停止状態のリール３５０Ａ、３５０Ｂ、３５０Ｃが回転し、通常は全てのリール３５０Ａ、３５０Ｂ、３５０Ｃが同時に回転を開始する。なお、始動レバー３５４による操作タイミングは、後述する内部抽選のタイミングとなっており、この始動レバー３５４の操作によって当たり（役当選）／外れが決定する。
【００２９】
リール３５０Ａ、３５０Ｂ、３５０が回転することで図柄が変動し、その様子は表示窓３１４を通して表示される。この図柄変動中に各リール３５０Ａ、３５０Ｂ、３５０Ｃに対応する各停止ボタン３５６Ａ、３５６Ｂ、３５６Ｃを遊技者が操作すると、その操作タイミングに応じて各リール３５０Ａ、３５０Ｂ、３５０Ｃが回転停止する。
【００３０】
この回転停止した状態で、表示窓３１４を通して視認できる図柄のうち、中行に並んだ図柄の中心を結ぶライン、上行に並んだ図柄の中心を結ぶライン、下行に並んだ図柄の中心を結ぶラインと、２本の対角線上に並んだ図柄の中心をそれぞれ結ぶ２本のラインと、の５本の有効ライン上に停止した図柄の組み合わせによって遊技の結果が示される。なお、５本のラインのうち、何れのラインが有効ラインとされるかはメダルの投資数によって決定し、１枚のメダルがベットされた場合には中行に並んだ図柄の中心を結ぶラインが有効ラインとされ、３枚のメダルがベットされた場合には全てのラインが有効ラインとされる。
【００３１】
（リールユニットの構成）
図２に示されるように、図柄変動部３１６は、３セットのリールユニット１０Ａ、１０Ｂ、１０Ｃが軸線方向に配列された構造とされている。
【００３２】
各リールユニット１０Ａ、１０Ｂ、１０Ｃには、リール本体１２とリールテープ１４とで構成された前述のリール３５０Ａ、３５０Ｂ、３５０Ｃが設けられており、このリール３５０Ａ、３５０Ｂ、３５０Ｃの一部（３図柄分）が表示窓３１４（図１参照）から視認可能とされる。
【００３３】
以下、本実施形態のリールユニット１０Ａ、１０Ｂ、１０Ｃはほぼ同じ構成であるため、その内の１つのリールユニット１０Ａ（以下、単に「リールユニット１０」という）を例に構成を説明する。
【００３４】
図３に示されるように、リールユニット１０は、主要部が薄型の円形状とされたベースブラケット１６を備えており、その円形状構造部の中心部にステッピングモータ１８が取り付けられている。
【００３５】
ステッピングモータ１８のモータ回転軸１８Ａには、リール本体１２の回転中心部分を構成する円筒状の芯部２０が固定されている。芯部２０の周面には、芯部２０を中心に９０度ピッチで放射状に配置された４本の腕部（フレーム部）を備えるラジアルフレーム２２が取り付けられている。なお、芯部２０とラジアルフレーム２２とは樹脂材料等で一体成形して構成するようにしてもよい。
【００３６】
ラジアルフレーム２２の先端部には、リール本体１２を構成する一対のリングフレーム２４のうちの一方が取り付けられている。この一対のリングフレーム２４は、複数のラダーフレーム２６により連結されて同軸に配置されており、上記のように一方のリングフレーム２４がラジアルフレーム２２に取り付けられることで、他方のリングフレーム２４がベースブラケット１６に近接配置されている。また、複数のラダーフレーム２６は、リングフレーム２４の周方向に沿って等間隔で配設されており、その間隔は、リールテープ１４に設けられている複数の図柄の間隔と同じにされている。
【００３７】
リール本体１２は、これら一対のリングフレーム２４と複数のラダーフレーム２６、ラジアルフレーム２２、及び芯部２０によって、円筒体の輪郭形状（骨組み）を形成するよう構成されるとともに、一対のリングフレーム２４の各周縁部と複数のラダーフレーム２６によって、リールテープ１４が巻き付けられる外周面の輪郭形状が構成されており、芯部２０とステッピングモータ１８は、このリール本体１２の内部空間に配置されている。そしてリール本体１２は、上述したようにベースブラケット１６にステッピングモータ１８を介して取り付けられ、ステッピングモータ１８の駆動でモータ回転軸１８Ａが回転すると芯部２０を中心に回転する。
【００３８】
また、図５に示されるように、複数のラダーフレーム２６の内の１つには、リール本体１２に対するリールテープ１４の巻き付け開始位置の基準となる凹溝２８（２８Ａ、２８Ｂ、２８Ｃ）が形成されており、この凹溝２８には、リールテープ１４の巻き付け開始側となる基準端部１５に設けられた凸部３４（３４Ａ、３４Ｂ、３４Ｃ）が嵌め入れられるようになっている。
【００３９】
このリールテープ１４について、本実施形態のパチスロ機３００では、３個のリール３５０Ａ、３５０Ｂ、３５０Ｃに設ける複数種類の図柄がそれぞれ異なる配列とされており、したがって、リール３５０Ａ、３５０Ｂ、３５０Ｃに設けられたリール本体１２Ａ、１２Ｂ、１２Ｃに対し、種類の異なるリールテープ１４Ａ、１４Ｂ、１４Ｃが組み合わせられている（図５参照）。
【００４０】
各リールテープ１４Ａ、１４Ｂ、１４Ｃは、バックライトによる視覚効果を良好にするために、ポリカーカーボネート（ＰＣ）又はポリエチレンテフタレート（ＰＥＴ）等で帯状に形成された透明な樹脂テープを基材としており、長手方向に沿って複数（例えば２１個）の図柄３０が等ピッチで設けられている。この図柄３０は、リールテープ１４Ａ、１４Ｂ、１４Ｃの裏面に直接印刷されており、その上に白色で背景色となるベース（背景層）が重ね塗りされ、さらに遮光材（遮光層）としての黒色が図柄３０を避けて（図柄印刷部ではその輪郭に沿って）印刷されている。この白色のベースによって明度を高めつつ、遮光材の黒色によって図柄３０の輪郭を強調することにより、バックライトによる視覚効果が増大されるよう構成されている。
【００４１】
また、リールテープ１４Ａ、１４Ｂ、１４Ｃの幅寸法は、リール本体１２Ａ、１２Ｂ、１２Ｃを構成する一対のリングフレーム２４に形成された外周縁部（凹段部）の内幅寸法に合わせられ、長さ寸法は、リール本体１２Ａ、１２Ｂ、１２Ｃの外周寸法（外周長）よりも少し長くされており、基準端部１５側におけるリール本体の外周長を超えた部位には、すなわち、図柄３０の印刷エリアからリールテープ先端の輪郭までの間には、上述したベースの白色印刷及び遮光の黒色印刷による裏打ち加工は施されておらず、透明なままにされている。
【００４２】
さらに、リールテープ１４Ａ、１４Ｂ、１４Ｃの裏面の縁部全周には、透明な両面接着テープ３２が貼り付けられており、単品状態のリールテープ１４Ａ、１４Ｂ、１４Ｃでは、両面接着テープ３２を含むリールテープ裏面全面に、リールテープ１４Ａ、１４Ｂ、１４Ｃと同形状の樹脂製の保護テープが貼り付けられている。
【００４３】
ここで、リール本体１２に設けられた凹溝２８と、リールテープ１４に設けられた凸部３４の形状について説明する。
【００４４】
この凹溝２８及び凸部３４の形状は、例えばパチスロ機の機種、左、右、中など、リールの種類に応じて異なる形状が適宜設定される。
【００４５】
本実施形態の場合、特定の機種（パチスロ機３００）に搭載される３個のリール３５０Ａ、３５０Ｂ、３５０Ｃにおいて、リール本体１２の凹溝２８については、図５に示されるように、左側に配置されるリール３５０Ａ（左リール）に用いられるリール本体１２Ａでは、凹溝２８Ａが１つの波形形状に形成されており、中央に配置されるリール３５０Ｂ（中リール）に用いられるリール本体１２Ｂでは、凹溝２８Ｂが２つの波形形状に形成されており、右側に配置されるリール３５０Ｃ（右リール）に用いられるリール本体１２Ｃでは、凹溝２８Ｃが３つの波形形状に形成されている。また、各凹溝２８Ａ、２８Ｂ、２８Ｃは、リール本体１２を成形する際に金型によってそれぞれ上記の形状に形成される。
【００４６】
一方、リールテープ１４の凸部３４については、図４（Ａ）〜（Ｃ）及び図５に示されるように、リール３５０Ａに用いられるリールテープ１４Ａでは、凸部３４Ａがリール本体１２Ａの凹溝２８Ａに対応する１つの波形形状に形成されており、リール３５０Ｂに用いられるリールテープ１４Ｂでは、凸部３４Ｂがリール本体１２Ｂの凹溝２８Ｂに対応する２つの波形形状に形成されており、リール３５０Ｃに用いられるリールテープ１４Ｃでは、凸部３４Ｃがリール本体１２Ｃの凹溝２８Ｃに対応する３つの波形形状に形成されている。また、各凸部３４Ａ、３４Ｂ、３４Ｃは、リールテープ１４Ａ、１４Ｂ、１４Ｃをプレスマシン等で帯状に切断する切断工程において、基準端部１５にそれぞれ上記の輪郭形状に形成される。
【００４７】
そして、このリールテープ１４Ａ、１４Ｂ、１４Ｃを対応するリール本体１２Ａ、１２Ｂ、１２Ｃに巻き付ける際は、先ず、基準端部１５側から保護テープを剥がし、凸部３４Ａ、３４Ｂ、３４Ｃを凹溝２８Ａ、２８Ｂ、２８Ｃに位置合わせして押圧し、その嵌め合わせた状態（係合状態）を維持して基準端部１５をリール本体１２Ａ、１２Ｂ、１２Ｃに両面接着テープ３２にて貼り付ける（図５参照）。これにより、巻き付け方向（周方向）における巻き付け開始の基準位置と、テープ幅方向（リール本体１２の軸方向）での位置が定められ、そのまま保護テープを剥がしながらリール本体１２Ａ、１２Ｂ、１２Ｃの外周に順次巻き付け貼り付けていく。最後は、リール本体１２Ａ、１２Ｂ、１２Ｃの外周に１周分巻き付けたあと、余った後端部は、透明な基準端部１５の上に重ねて貼り付ける（図３参照）。以上の手順により、リール本体１２Ａ、１２Ｂ、１２Ｃの外周にリールテープ１４Ａ、１４Ｂ、１４Ｃが巻き付けられた各リール３５０Ａ、３５０Ｂ、３５０Ｃが完成する。
【００４８】
また、上記のように構成されたリール３５０Ａ、３５０Ｂ、３５０Ｃでは、リールテープ１４先端側の基準端部１５に後端部が重ねられて貼り付けられても、基準端部１５が透明であることにより、この重複部位における光透過率の低下が抑えられ、バックライト光の照射によって得られる視覚的な演出効果への妨げが抑制される。さらに、リールテープ１４の重複部位における下層の端部輪郭の陰が上層端部に写り込むなどの現象も抑制される。
【００４９】
（制御系）
図６には、上記パチスロ機３００の動作を制御するための制御ブロック図が概略的に示されている。
【００５０】
パチスロ機３００の制御系は、主制御部１００を中心に構成されており、この主制御部１００には、メダル投入部３２０から投入されたメダルを識別し、メダルの投入数や種類（不正又は純正）等を出力するメダルセレクタ１０２が接続されると共に、始動レバー３５４、上述したリール３５０Ａ、３５０Ｂ、３５０Ｃのそれぞれに対応する停止ボタン３５６Ａ、３５６Ｂ、３５６Ｃ、ＭＡＸベットボタン３５２Ｂ、１枚ベットボタン３５２Ａ並びに遊技を中止する際に遊技機内部に貯留（クレジット）したメダルを戻すための精算ボタン１０３が、それぞれ操作状態を検出する不図示のセンサ等を介して接続されている。
【００５１】
また、主制御部１００は、ＣＰＵを含んで構成される主制御回路１１０を備えており、主制御回路１１０には、主として遊技の進行状況等を一時的に記憶するＲＡＭ１２８と、各種プログラム等が記憶されたＲＯＭ１３０と、が接続されると共に、主制御回路１１０の動作の基準となるクロックパルスを生成するクロックパルス発生回路１２４が分周器１２６を介して接続されている。
【００５２】
また、主制御回路１１０には、乱数発生器１２０及び乱数サンプリング回路１２２が接続されている。主制御回路１１０は、分周器１２６を介して入力されたクロックパルスに同期して乱数発生器１２０を制御して順次乱数を発生させ、乱数サンプリング回路１２２では、当該乱数発生器１２０により発生された乱数を取得してサンプリングする。
【００５３】
パチスロ機３００では、始動レバー３５４による操作タイミングで大役、小役等の当落を決定する内部抽選が主制御部１００により行われるようになっており、主制御回路１１０では、始動レバー３５４が操作されると上記乱数サンプリング回路１２２に対して、乱数の取得、サンプリング及び出力を指示し、これにより乱数サンプリング回路１２２から入力された乱数に応じて抽選結果を導出する。
【００５４】
なお、内部抽選が当たり（役当選）の場合は、その後の停止ボタン３５６Ａ、３５６Ｂ、３５６Ｃによる停止操作により当たり図柄が揃うと、遊技者は各図柄に応じた数のメダルを獲得できるほか、揃った図柄に応じて遊技者に有利な遊技状態となる。
【００５５】
ここで、役には小役と大役とがある。このうち、大役には、ビッグボーナス（以下、適宜「ＢＢ」という）及びレギュラーボーナス（以下、適宜「ＲＢ」という）があり、それぞれに対応する遊技においては遊技者に対する有利さの度合いが異なる。ＲＢに対応する遊技（以下、適宜「ＲＢゲーム」という）は複数回の小役ゲームにより構成されており、ＢＢに対応する遊技（以下、適宜「ＢＢゲーム」という）は、その遊技中に、獲得したメダル数が上限値を超えない範囲で複数回入賞可能なＲＢゲームを含んで構成されている。このため、当然、小役ゲームよりもＲＢゲームの方が、ＲＢゲームよりもＢＢゲームの方が、遊技者にとってより有利な遊技状態となる。
【００５６】
また、主制御部１００には、モータ駆動回路１３２が接続されており、当該モータ駆動回路１３２には、左（Ｌ）、中（Ｃ）、右（Ｒ）用の各リールモータ１０６Ａ、１０６Ｂ、１０６Ｃを介してそれぞれ左、中、右の各リール３５０Ａ、３５０Ｂ、３５０Ｃが接続されている。
【００５７】
さらに、主制御部１００には、３個のリール３５０Ａ、３５０Ｂ、３５０Ｃの回転位置を検出するためのリール位置検出回路１３４が接続されており、主制御部１００では、各リール３５０Ａ、３５０Ｂ、３５０Ｃの位置を常時把握することができるようになっている。
【００５８】
また、パチスロ機３００では、上記始動レバー３５４による操作タイミングで図柄変動部３１６による図柄変動を開始するようになっており、主制御部１００は、始動レバー３５４が操作されると、モータ駆動回路１３２を介したリールモータ１０６Ａ、１０６Ｂ、１０６Ｃの駆動をそれぞれ開始し、３個のリール３５０Ａ、３５０Ｂ、３５０Ｃをそれぞれ回転させると共に、その後の停止ボタン３５６Ａ、３５６Ｂ、３５６Ｃによる操作に基づいて、３個のリール３５０Ａ、３５０Ｂ、３５０Ｃの回転を停止させる。
【００５９】
ここで、主制御部１００では、上記停止ボタン３５６Ａ、３５６Ｂ、３５６Ｃによる停止操作に基づいてリール３５０Ａ、３５０Ｂ、３５０Ｃの回転を停止させる際、内部抽選の結果に応じて、所定コマ数の滑り制御を実行するようになっている。
【００６０】
すなわち、内部抽選が外れのとき、当りの場合のみ停止する図柄が有効ライン上に停止する停止タイミングで停止ボタン３５６Ａ、３５６Ｂ、３５６Ｃが操作された場合、意図的にこの図柄での停止を回避するため、停止位置をずらし（蹴飛ばし）、外れ図柄配列で停止するように制御する。
【００６１】
また、内部抽選が当りのとき、遊技者が操作した停止タイミングでは当り図柄が停止しない場合でも、所定図柄数内であれば、意図的にこの当たり図柄が有効ライン上に揃って停止するように停止位置をずらす（引き込み）制御を行う。
【００６２】
上記蹴飛ばし、引き込みを行うことで、内部抽選の結果と遊技の結果との統一性を持たせることができると共に、若干停止操作タイミングがずれても当り図柄を揃えることが可能となることで、遊技者の取りこぼしを可能な範囲で防いでいる。
【００６３】
また、主制御部１００には、パチスロ機３００内部に設けられたホッパー１３８を作動させるためのホッパー駆動回路１３６が接続されている。ホッパー１３８にはメダルが貯留されており、主制御部１００では、リール位置検出回路１３４からの出力により特定された停止図柄に応じて、ホッパー駆動回路１３６を介したホッパー１３８からのメダルの払い出しが実行される。
【００６４】
さらに、ホッパー１３８近傍には、ホッパー１３８から払出されるメダルを検出するメダル検出センサ１４０が配設されており、払出完了信号回路１４２を介して主制御部１００に接続されている。払出完了信号回路１４２では、メダル検出センサ１４０からの検出信号に基づいて払出が完了したか否かが判定され、払出が完了したと判定された時点で払出完了信号が生成されて主制御部１００に入力される。
【００６５】
主制御部１００では、払出完了信号回路１４２から払出完了信号が入力されるとホッパー駆動回路１３６を介してホッパー１３８によるメダルの払出しを終了する。
【００６６】
さらに、主制御部１００には、表示ランプ駆動回路１４４が接続されており、当該表示ランプ駆動回路１４４を介して前述した７セグメント表示部３１５Ａ、表示部３１５Ｂ、７セグメント表示部３１５Ｃ及び有効化ライン等の表示ランプ１４６の点灯及び消灯を制御する。
【００６７】
一方、主制御部１００には、副制御部１５０が接続されており、主制御部１００は副制御部１５０に対して、随時制御状態を示すコマンド信号を入力する。なお、本実施の形態では、主制御部１００と副制御部１５０との間の通信としては、主制御部１００から副制御部１５０に対する一方的な通信だけが実行され、副制御部１５０から主制御部１００に対する通信は一切行うことができない構成となっている。
【００６８】
副制御部１５０には、液晶制御回路１５２が接続されており、液晶制御回路１５２では、演出のために設けられた液晶表示装置（ＬＣＤ）３１３の表示状態を制御する。
【００６９】
また、副制御部１５０には、ランプ駆動回路１５６が接続されており、当該ランプ駆動回路１５６を介して装飾ランプ３０４Ａに内蔵されているランプ１１２や、リール３５０Ａ、３５０Ｂ、３５０Ｃの内部に設けられ、表示窓３１４に表示されるリール３５０Ａ、３５０Ｂ、３５０Ｃ周面の図柄に対向する位置に向けて発光するバックライト１５８等の発光を制御する。
【００７０】
さらに、副制御部１５０には、スピーカ駆動回路１５４が接続され、スピーカ３０５Ｌ、３０５Ｒからの音声（効果音）出力を制御する。
【００７１】
副制御部１５０では、主制御部１００のパチスロ機３００の制御状態に応じて、ＬＣＤ３１３、スピーカ３０５Ｌ、３０５Ｒ及びバックライト１５８や装飾ランプ３０４Ａに内蔵されたランプ１１２等による報知演出を実行する。
【００７２】
特に、ＬＣＤ３１３では、始動レバー３５４が操作されときに実行される役抽選の結果に応じて、当該遊技に関わる予告演出を実行する場合があり、遊技者はこの予告演出を見ることで、当該遊技の役抽選における当選への期待感を持つことができる。
【００７３】
図７は、本実施の形態に係る主制御部１００における通常遊技制御のための制御系を機能的に示したブロック図である。
【００７４】
主制御部１００は、抽選部１８０を含んで構成されており、当該抽選部１８０には、始動レバー３５４が操作されたことを示す操作信号が入力されるようになっている。抽選部１８０は、所定数のメダルの投入（ベット）がなされた後の始動レバー３５４の操作をトリガとして、内部抽選を実行するようになっている。
【００７５】
抽選部１８０では、始動レバー３５４の操作に同期して乱数値を取得し、当該乱数値をテーブル選択部１８２を経由して当選役・図柄決定部１８４へ送出する。
【００７６】
テーブル選択部１８２には、抽選部１８０により取得され得る数値に対応する役・図柄を示す情報がパチスロ機３００の遊技状態毎に記憶されたテーブルが格納されている。なお、パチスロ機３００の遊技状態としては、例えば、通常遊技、ＢＢ内部当選中、ＲＢ内部当選中、ＢＢ作動時の通常遊技、ＢＢ作動時のＲＢ内部当選中、ＲＢ遊技等があげられる。
【００７７】
テーブル選択部１８２では、遊技状態制御部１８６から現在の遊技状態を示す情報を得て、上記遊技状態毎に設けられたテーブルから役・図柄を決定すべきテーブルを選択する。このテーブル選択部１８２で選択されたテーブルに基づいて、当選役・図柄決定部１８４は、当選役（小役（リプレイを含む）、大役（ＲＢ、ＢＢ））及び当選図柄を決定し、決定した当選役及び当選図柄を遊技状態制御部１８６に入力する。
【００７８】
遊技状態制御部１８６には、パチスロ機３００の遊技状態に応じた各種プログラムを示すデータが記憶された遊技プログラムメモリ１８８が接続されている。遊技状態制御部１８６は、主として遊技実行制御部１８６Ａにより遊技プログラムメモリ１８８から遊技状態に応じた遊技プログラムデータを適宜読み出して実行することにより、遊技状態を制御するようになっている。
【００７９】
なお、遊技プログラムメモリ１８８には、通常遊技プログラムを示すデータ及び大役遊技プログラムを示すデータがそれぞれ記憶されており、例えば、通常遊技状態の場合は、遊技プログラムメモリ１８８から通常遊技プログラムデータが読み出され、大役遊技状態の場合はＢＢ、ＲＢの内部当選状態、ＢＢ、ＲＢの各遊技状態に応じて、大役遊技プログラムデータが読み出され、それぞれのプログラムデータに基づいて処理が実行される。
【００８０】
一方、主制御部１００は、リール駆動制御部１９４を含んで構成されており、始動レバー３５４の始動操作に基づき、前回の遊技の開始後、４．１秒を経過した後、モータ駆動部１３２を介してリールモータ１０６Ａ、１０６Ｂ、１０６Ｃを駆動させてリール３５０Ａ、３５０Ｂ、３５０Ｃの回転を開始する。
【００８１】
また、リール駆動制御部１９４は、停止ボタン３５６Ａ、３５６Ｂ、３５６Ｃの操作に基づいてリール３５０Ａ、３５０Ｂ、３５０Ｃの回転を停止させる停止制御を行う。
【００８２】
また、リール３５０Ａ、３５０Ｂ、３５０Ｃには、それぞれ位置検出センサ１９８Ａ、１９８Ｂ、１９８Ｃが取り付けられており、リール位置検出回路１３４を介してリール駆動制御部１９４に接続されている。リール駆動制御部１９４では、リール３５０Ａ、３５０Ｂ、３５０Ｃのそれぞれの回転位置を認識し、前記滑り制御を加味した状態でリール３５０Ａ、３５０Ｂ、３５０Ｃを停止させると共に、停止したリール３５０Ａ、３５０Ｂ、３５０Ｃの図柄配列を遊技状態制御部１８６へ送出する。
【００８３】
この停止したリール３５０Ａ、３５０Ｂ、３５０Ｃの図柄配列により、遊技状態制御部１８６では、何らかの役に入賞したか否かが確認され、入賞であれば所定の配当が行われると共に、入賞した役がリプレイであればリプレイ制御が実行され、大役であれば遊技実行制御部１８６Ａにより大役遊技プログラムが遊技プログラムメモリ１８８から読み出されて実行される。
【００８４】
また、遊技状態制御部１８６には、フラグ管理制御部１９０を介してフラグメモリ１９２が接続されており、上述した内部抽選の当選結果に応じた役の内部当選状態をフラグの状態によって管理している。
【００８５】
各フラグは、内部抽選により当選することにより成立し、一般に、小役のフラグの状態は１回の遊技で消滅（フラグ不成立）するが（当選の無効）、大役のフラグの状態はその後各リール３５０Ａ、３５０Ｂ、３５０Ｃが停止して表示窓３１４に大役図柄が所定の配列で表示されることにより大役に入賞するまで維持される（当選の持ち越し）。
【００８６】
なお、フラグメモリ１９２は、上述したリール駆動制御部１９４に接続されており、当該フラグメモリ１９２に記憶されたフラグの状態は、リール駆動制御部１９４による停止ボタン３５６Ａ、３５６Ｂ、３５６Ｃの操作に基づく停止制御の際の引き込みまたは蹴飛ばしの滑り制御のパラメータとして適用される。
【００８７】
次に、本実施形態の作用について説明する。
【００８８】
上述したように、本実施形態のパチスロ機３００では、３個のリール３５０Ａ、３５０Ｂ、３５０Ｃはそれぞれ、複数種類の図柄３０が印刷された異なる種類のリールテープ１４（１４Ａ、１４Ｂ、１４Ｃ）がリール本体１２（１２Ａ、１２Ｂ、１２Ｃ）の外周に所定の基準位置から巻き付けられて形成されているが、リール本体１２には、その基準位置に対応したラダーフレーム２６に、他のリール３５０のリール本体１２とは異なる形状の凹溝２８（２８Ａ、２８Ｂ、２８Ｃ）が設けられ、リールテープ１４には、巻き付け開始側の基準端部１５に、他のリールテープ１４とは異なる形状とされるとともに対応するリール本体１２の凹溝２８に係合可能な凸部３４（３４Ａ、３４Ｂ、３４Ｃ）が設けられている。そして、凸部３４をリール本体１２の凹溝２８に嵌め合わせて巻き付け開始の基準位置を合わせ、その状態でリールテープ１４をリール本体１２の外周に順次巻き付けることにより、各リール３５０Ａ、３５０Ｂ、３５０Ｃが形成されている。これにより、各リールテープ１４は対応する各リール本体１２の凹溝２８だけに凸部３４を嵌合させられるようになり、他のリール本体１２に設けられた異なる嵌合形状の凹溝２８には凸部３４を嵌合させられなくなるため、他のリール本体１２への誤った組み付けが防止される。さらに、凸部３４を凹溝２８に嵌合させるだけで簡単かつ確実に位置決めできるため、作業を習熟しなくとも組み付け精度のばらつきが抑えられるようになり、位置決め不良によるリールテープ１４の貼り直しなども防止することができる。したがって、例えば左右中の３個のリール３５０Ａ、３５０Ｂ、３５０Ｃ及び複数機種を同一ラインで生産するような場合でも、３種類のリールテープ１４Ａ、１４Ｂ、１４Ｃが対応する３個のリール３５０Ａ、３５０Ｂ、３５０Ｃに正しい組み合わせで簡単に組み付けられるようになり、作業効率の低下を抑制しつつ、作業の信頼性を向上することができる。
【００８９】
また、本実施形態では、上記の凸部３４を数の異なる波形形状に形成していることにより、この凸部３４の形状を目視する、あるいは触感による確認で、リールテープ１４の種類が容易に識別できるようになる。これにより、リールテープ１４をリール本体１２に巻き付け始める前でも、誤って組み合わせてしまうことを簡単かつ確実に防止することができる。
【００９０】
（第２の実施形態）
次に、本発明の第２の実施形態について説明する。
【００９１】
図８及び図９（Ａ）、（Ｂ）に示されるように、本実施形態のリール本体１２では、リール本体１２を構成する一対のリングフレーム２４の一方に、切り欠き３６が形成されており、この切り欠き３６に、突起部３５が形成されたアタッチメント４０が嵌め込まれ接着等で取り付けられている。
【００９２】
本実施形態の例では、第１の実施形態で説明したリール３５０Ａのリール本体１２Ａに用いられるアタッチメント４０Ａでは、突起部３５Ａが直方体状（平面視矩形状）に形成されている。また、リール３５０Ｂのリール本体１２Ｂに用いられるアタッチメント４０Ｂでは、突起部３５Ｂが円柱状（平面視円形状）に形成されている。
【００９３】
一方、リール３５０Ａに用いられるリールテープ１４Ａには、基準端部１５の一方の角部近傍に、アタッチメント４０Ａの突起部３５Ａに対応する矩形状の嵌合孔２９Ａが貫通形成されている。また、リール３５０Ｂに用いられるリールテープ１４Ｂには、基準端部１５の一方の角部近傍に、アタッチメント４０Ｂの突起部３５Ｂに対応する円形状の嵌合孔２９Ｂが貫通形成されている。
【００９４】
そして、このリールテープ１４Ａ、１４Ｂを対応するリール本体１２Ａ、１２Ｂに巻き付ける際は、嵌合孔２９Ａ、２９Ｂを突起部３５Ａ、３５Ｂに嵌め入れて巻き付け開始の基準位置を定め（図９参照）、第１の実施形態と同様の手順にて、リール本体１２Ａ、１２Ｂの外周にリールテープ１４Ａ、１４Ｂが巻き付けられて貼り付けられる。
【００９５】
以上の構成により、本実施形態においても、各リールテープ１４は対応する各リール本体１２のアタッチメント４０に形成された突起部３５だけに嵌合孔２９を嵌合させられるようになり、他のリール本体１２に設けられた異なる嵌合形状の突起部３５には嵌合孔２９を嵌合させられなくなるため、他のリール本体１２への誤った組み付けが防止される。さらに、本実施形態の場合も、嵌合孔２９を突起部３５に嵌合させることで確実に位置決めできるため、位置決め不良によるリールテープ１４の貼り直しが防止できる。したがって、複数種類のリールテープ１４Ａ、１４Ｂが対応する各リール３５０Ａ、３５０Ｂに正しい組み合わせで簡単に組み付けられるようになり、作業効率の低下を抑制しつつ、作業の信頼性を向上することができる。
【００９６】
また、本実施形態では、突起部３５をアタッチメント４０に形成してリール本体１２とは別体にし、リール本体１２のリングフレーム２４に形成した切り欠き３６に取り付けて固定するよう構成している。これにより、リール３５０Ａ、３５０Ｂでは、形状の異なる突起部３５を除いてリール本体１２が共通で使用できるようになり、リール本体１２を成形する金型を共通化できるようになって製造コストが抑えられる。
【００９７】
（第３の実施形態）
次に、本発明の第３の実施形態について説明する。
【００９８】
第３の実施形態は、上述した第２の実施形態の変形例であり、図１０（Ａ）、（Ｂ）に示されるように、第２の実施形態で説明した突起部３５Ａ、３５Ｂがそれぞれ形成された本実施形態のアタッチメント４２Ａ、４２Ｂは、リール本体１２Ａ、１２Ｂとは異なる色に着色されている。このリール本体１２Ａ、１２Ｂ及びアタッチメント４２Ａ、４２Ｂはそれぞれ成形品とされ、各部材の配色（成形色）については、例えばリール本体１２は透明樹脂製で透明とされており、アタッチメント４２Ａ、４２Ｂは、視覚的に色相差が識別できる異なる色が用いられている。また、この着色成形されたアタッチメント４２Ａ、４２Ｂがバックライト効果で目立たないようにするために、使用する色の種類（色相）は、白色、灰色、黄色、桃色等の比較的薄い色が望ましく、さらには色濃度も低くすることが望ましい。
【００９９】
このように、異なる色で着色されたアタッチメント４２Ａ、４２Ｂを備えるリール本体１２Ａ、１２Ｂでは、アタッチメント４２Ａ、４２Ｂの色の違いが一瞬で見分けられることにより、リール本体１２Ａ、１２Ｂの種類が容易に識別できるようになる。これにより、リールテープ１４Ａ、１４Ｂの巻き付け前でも、誤って組み合わせられてしまうことを簡単かつ確実に防止できる。
【０１００】
以上、本発明を上述した第１〜第３の実施形態により詳細に説明したが、本発明はそれらに限定されるものではなく、本発明の範囲内にて他の種々の形態が実施可能である。
【０１０１】
例えば、第２の実施形態で説明したような異なる形状の被係合部（突起部）を有するアタッチメントや、第３の実施形態で説明したような異なる色で着色されたアタッチメントについては、第１の実施形態で説明したリール本体１２のラダーフレーム２６に適用することも可能である。
【０１０２】
また本発明は、上述したパチスロ機３００の図柄変動部３１６を構成する複数種類のリール３５０Ａ、３５０Ｂ、３５０Ｃに限らず、例えばパチンコ機に搭載されたドラム型の図柄表示器（ドラム型役物）に使用される複数種類の回転ドラム等にも適用することができる。
【図面の簡単な説明】
【０１０３】
【図１】本発明の第１の実施形態に係るパチスロ機を示す斜視図である。
【図２】本発明の第１の実施形態に係るパチスロ機に搭載された図柄変動部を構成するリールユニットを示す斜視図である。
【図３】本発明の第１の実施形態に係るリールユニットの構造を示す斜視図である。
【図４】（Ａ）〜（Ｃ）は本発明の第１の実施形態に係る３種類のリールテープの基準端部側を示す平面図である。
【図５】本発明の第１の実施形態に係る３種類のリール本体に対応する各リールテープを巻き付けるための位置合わせの様子を示す説明図である。
【図６】本発明の第１の実施形態に係るパチスロ機の制御系を示すブロック図である。
【図７】本発明の第１の実施形態に係るパチスロ機の主制御部を中心とした制御系を機能的に示すブロック図である。
【図８】本発明の第２の実施形態に係るリール本体の要部を示す斜視図である。
【図９】（Ａ）、（Ｂ）は本発明の第２の実施形態に係る２種類のリール本体に対応する各リールテープを巻き付けるための位置合わせの様子を示す説明図である。
【図１０】（Ａ）、（Ｂ）は本発明の第３の実施形態に係る２種類のリール本体に対応する各リールテープを巻き付けるための位置合わせの様子を示す説明図である。
【符号の説明】
【０１０４】
１０Ａ、１０Ｂ、１０Ｃ             リールユニット
１２Ａ、１２Ｂ、１２Ｃ             リール本体
１４Ａ、１４Ｂ、１４Ｃ             リールテープ
２０          芯部
２２          ラジアルフレーム
２４          リングフレーム
２６          ラダーフレーム
２８Ａ、２８Ｂ、２８Ｃ             凹溝
２９Ａ、２９Ｂ                            嵌合孔
３０          図柄
３４Ａ、３４Ｂ、３４Ｃ             凸部
３５Ａ、３５Ｂ                            突起部
３６          切り欠き
４０Ａ、４０Ｂ                            アタッチメント
４２Ａ、４２Ｂ                            アタッチメント
３００        パチスロ機（遊技機）
３５０Ａ、３５０Ｂ、３５０Ｃ              リール
【図１】
2007267839.tif 000003
【図２】
2007267839.tif 000004
【図３】
2007267839.tif 000005
【図４】
2007267839.tif 000006
【図５】
2007267839.tif 000007
【図６】
2007267839.tif 000008
【図７】
2007267839.tif 000009
【図８】
2007267839.tif 000010
【図９】
2007267839.tif 000011
【図１０】
2007267839.tif 000012